(57)【特許請求の範囲】
【請求項１】
電気機器であって、
開口部を有し、前記開口部を介して対象物を収納するための槽と、
前記開口部を開閉するための蓋と、
前記蓋を閉状態にロックするためのロック部と、
前記蓋の開閉を検出する開閉センサと、
前記電気機器を制御するための制御部と、を備え、
前記電気機器に、前記蓋をロックするよう指示するためのロック指示またはロック解除を指示するための解除指示を示す指示データを設定するために操作される操作部を有し、
前記制御部は、
前記操作部の操作により設定された前記指示データをメモリに記憶し、
前記電気機器の運転中は前記蓋を閉状態にロックし、運転終了時は前記メモリの指示データに基づき当該ロックをし続けるように、または当該ロックを解除するように前記ロック部を制御し、
前記運転終了後に、前記ロックを解除するように前記操作部が操作された場合に、前記開閉センサからの出力に基づいて、当該ロックが解除されてから予め定められた時間内に前記蓋が開状態から閉状態に変化したと判断したときは、当該蓋を閉状態にロックするように前記ロック部を制御し、
前記運転終了後に、前記ロックを解除するように前記操作部が操作された場合に、前記開閉センサからの出力に基づいて、当該ロックが解除されてから予め定められた時間内に前記蓋が開状態から閉状態に変化したと判断しないときは、前記蓋の閉状態のロックを禁止するように、前記ロック部を制御する、電気機器。
【請求項２】
前記制御部は、前記運転終了後に、前記ロックを解除するように前記操作部が操作された場合に、当該ロックが解除されてから予め定められた時間内に前記蓋が開状態から閉状態に変化したと判断しないときは、ロックが解除されている旨を、出力部を介して出力する、請求項１に記載の電気機器。
【請求項３】
前記制御部は、さらに、
前記メモリの指示データがロック指示を示す場合に、前記操作部が操作されたときは、当該指示データを、解除指示を示すように変更し、
前記メモリの指示データが解除指示を示す場合に、前記操作部が操作されたときは、当該指示データを、ロック指示を示すように変更する、請求項１または２に記載の電気機器。
【請求項４】
前記制御部は、
前記蓋のロックまたはロック解除に関する情報を、出力部を介して出力する、請求項１から３のいずれか１項に記載の電気機器。
【請求項５】
前記情報は、
前記メモリに記憶された前記指示データと、前記電気機器に前記指示データを設定するための前記操作部の操作ガイダンスの情報とを含む、請求項４に記載の電気機器。
【請求項６】
外部機器と通信する通信回路を、さらに備え、
前記制御部は、
前記通信回路を介して前記情報を前記外部機器に送信する、請求項４または５に記載の電気機器。
【請求項７】
前記制御部は、
前記メモリの指示データがロック指示を示さないときは、出力部を介し、前記ロック指示の設定を促すための報知を出力する、請求項１から６のいずれか１項に記載の電気機器。
【請求項８】
前記制御部は、
前記電気機器に対する電力の供給開始が実施された回数を計測し、
前記電気機器に電力が供給開始される場合に、前記メモリの指示データがロック指示を示さないときは、前記報知を、前記回数が所定回数に達するまでは電力が供給開始される毎に出力する、請求項７に記載の電気機器。
【請求項９】
前記制御部は、
前記報知を前記所定回数繰返し出力した後に、前記電力の供給開始の計測回数が前記所定回数よりも多い第２所定回数に達した場合は、当該電力の供給開始時に、前記メモリの指示データがロック指示を示さないときは、再度、前記報知を、前記回数が前記所定回数に達するまでは電力が供給開始される毎に出力する、請求項８に記載の電気機器。
【請求項１０】
前記電気機器は、切替え可能な複数の運転モードを有し、
前記運転モードが切替えられるとき、前記報知を、出力部を介して出力する、請求項７から９のいずれか１項に記載の電気機器。
【請求項１１】
前記電気機器は、ドラム式洗濯機を含む、請求項１から１０のいずれか１項に記載の電気機器。
【発明の詳細な説明】
【技術分野】
【０００１】
本発明は電気機器に関し、特に、開閉自在の蓋を有する電気機器において蓋をロックする機能を備える電気機器に関する。
【背景技術】
【０００２】
ドラム式洗濯機に関し、例えば特許文献１（特開平１０−１７９９７８号公報）は、ドラム内に人が入ったと判断したときはドラムの回転駆動手段の駆動を防止する構成を開示する。また、特許文献２はチャイルドロックの設定方法を開示する。
【先行技術文献】
【特許文献】
【０００３】
【特許文献１】特開平１０−１７９９７８号公報
【特許文献２】特開２００１−２７６４７６号公報
【発明の概要】
【発明が解決しようとする課題】
【０００４】
特許文献２のチャイルドロックの設定方法は、電源スイッチ、水位スイッチおよび設定スイッチを組み合わせて操作する必要があり、操作が複雑である。操作が複雑であると、ユーザが操作を敬遠してロック機能を設定しない場合がある。
【０００５】
それゆえに、本開示のある局面の目的は、利便性を有した蓋のロック機能を備える電気機器を提供することである。
【課題を解決するための手段】
【０００６】
この開示のある局面に従う電気機器は、開口部を有し、開口部を介して対象物を収納するための槽と、開口部を開閉するための蓋と、蓋を閉状態にロックするためのロック部と、電気機器を制御するための制御部と、を備え、電気機器に、蓋をロックするよう指示するためのロック指示またはロック解除を指示するための解除指示を示す指示データを設定するために操作される操作部を有し、制御部は、操作部の操作により設定された指示データをメモリに記憶し、電気機器の運転中は蓋を閉状態にロックし、運転終了時はメモリの指示データに基づき当該ロックをし続けるように、または当該ロックを解除するようにロック部を制御する。
【０００７】
好ましくは、制御部は、さらに、メモリの指示データがロック指示を示す場合に、操作部が操作されたときは、当該指示データを、解除指示を示すように変更し、メモリの指示データが解除指示を示す場合に、操作部が操作されたときは、当該指示データを、ロック指示を示すように変更する。
【０００８】
好ましくは、蓋の開閉を検出する開閉センサを、さらに備え、制御部は、さらに、ロックが解除されている場合に、開閉センサからの出力に基づき蓋が開状態から閉状態に変化したか否かを判断し、判断結果に基づきロック部を制御する。
【０００９】
好ましくは、制御部は、さらに、運転終了時にロックを解除するようにロック部を制御した場合に、蓋が開状態から閉状態に変化したと判断したときは、当該蓋を閉状態にロックするようにロック部を制御する。
【００１０】
好ましくは、制御部は、さらに、運転終了時にロックを解除するようにロック部を制御した場合に、当該ロックが解除されてから予め定められた時間内に蓋が開状態から閉状態に変化したと判断したときは、当該蓋を閉状態にロックするようにロック部を制御する。
【００１１】
好ましくは、制御部は、さらに、運転終了時にロックを解除するようにロック部を制御した場合に、当該ロックが解除されてから予め定められた時間内に蓋が開状態から閉状態に変化したと判断しないときは、蓋の閉状態のロックを禁止するように、ロック部を制御する。
【００１２】
好ましくは、制御部は、運転終了時にロックを解除するようにロック部を制御した場合に、当該ロックが解除されてから予め定められた時間内に蓋が開状態から閉状態に変化したと判断しないときは、ロックが解除されている旨を、出力部を介して出力する。
【００１３】
好ましくは、制御部は、蓋のロックまたはロック解除に関する情報を、出力部を介して出力する。
【００１４】
好ましくは、情報は、メモリに記憶された指示データと、指示データを電気機器に設定するための操作部の操作ガイダンスの情報とを含む。
【００１５】
好ましくは、外部機器と通信する通信回路を、さらに備え、制御部は、通信回路を介して情報を外部機器に送信する。
【００１６】
好ましくは、制御部は、メモリの指示データがロック指示を示さないときは、出力部を介し、ロック指示の設定を促すための報知を出力する。
【００１７】
好ましくは、制御部は、電気機器に電力が供給開始される場合に、メモリの指示データがロック指示を示さないといきは、報知を、第１の回数だけ繰返し出力する。
【００１８】
好ましくは、制御部は、報知を第１の回数繰返し出力中に、操作部の操作を受付けたときは、当該出力を停止する。
【００１９】
好ましくは、制御部は、電気機器に対する電力の供給開始が実施された回数を計測し、報知を第１の回数繰返し出力した後に、電力の供給開始の計測回数が第２の回数になった場合は、当該電力の供給開始時に、メモリの指示データがロック指示を示さないときは、再度、報知の第１の回数繰返し出力を開始する。
【００２０】
好ましくは、電気機器は、切替え可能な複数の運転モードを有し、運転モードが切替えられるとき、報知を、出力部を介して出力する。
【００２１】
好ましくは、電気機器は、ドラム式洗濯機を含む。
【発明の効果】
【００２２】
本開示によれば、電気機器において、利便性を有した蓋のロック機能を得ることができる。
【図面の簡単な説明】
【００２３】
【図１】実施の形態１に係るドラム式洗濯機１の外観を示す斜視図である。
【図２】実施の形態１に係る操作パネル４０の外観を示す図である。
【図３】実施の形態１に係るドラム式洗濯機１の内部構造を模式的に示す縦断面図である。
【図４】実施の形態１に係るドラム式洗濯機１の制御構造を模式的に示す図である。
【図５】実施の形態１に係るフラグＦＬの設定処理を示すフローチャートである。
【図６】実施の形態１に係る運転時の処理のフローチャートである。
【図７】実施の形態３に係る運転終了時の処理フローチャートである。
【図８】実施の形態４に係る端末１００に対するロック解除のガイダンスの表示例を示す図である。
【図９】実施の形態４に係る端末１００に対するロックを設定するためのガイダンスの表示例を示す図である。
【発明を実施するための形態】
【００２４】
以下、図面を参照しつつ、実施の形態に係る電気機器を説明する。
（概要）
本実施の形態に係る電気機器は、当該電気機器の蓋をロックするよう指示するためのロック指示またはロック解除を指示するための解除指示を示す指示データを設定するためにユーザが操作するキーを備える。電気機器の制御部は、キーの操作により設定された指示データをメモリに記憶する。そして、電気機器の運転中は蓋を閉状態にロックし、運転終了時はメモリの指示データに基づき当該ロックをし続けるように、または当該ロックを解除するようにロック部を制御する。
【００２５】
上記の電気機器によれば、ユーザは、キーを操作することにより、蓋のロックまたはロック解除の指示をメモリに記憶させることができるので、一旦、メモリに当該指示を記憶させた後は、ユーザは特別な操作をすることなく、運転終了時のロックまたはロック解除を自動的に行わせることができる。
【００２６】
また、ロック指示と解除指示の設定は、同じキーを操作して可能となるので、キーを個別に設ける必要がない。
【００２７】
以下、図面を参照しつつ、本発明の各実施の形態について説明する。以下の説明では、同一の部品には同一の符号を付してある。それらの名称および機能も同一である。したがって、それらについての詳細な説明は繰返さない。
【００２８】
[実施の形態１]
本発明の実施の形態１に係るドラム式洗濯機１について説明する。ドラム式洗濯機１は、「電気機器」の一実施例である。電気機器は、ドラム式洗濯機１に限定されず、衣類乾燥機、食器洗浄機等のように対象物を収容する槽と、槽の開口部を開閉する蓋を有した電気機器を含む。
【００２９】
（外観）
図１は、実施の形態１に係るドラム式洗濯機１の外観を示す斜視図である。図１に示すように、ドラム式洗濯機１は、略直方体形状の筺体１Ａを有する。ドラム式洗濯機１は、筺体１Ａの前面に設けられた開口部および扉を備える。扉は、扉本体１０と前扉１１（後述する）とから構成される。扉は、開口部を開閉するためにヒンジ機構を介して筺体１Ａに取付けられる。扉本体１０には、扉を開閉するために操作されるレバー９が取付けられている。取り分け、レバー９は、閉状態の扉を、開くために操作される。扉は、「蓋」の一実施例である。開口部は、後述する洗濯槽２のドラム３に、洗濯または乾燥の対象物を出し入れするために設けられる。また、筺体１Ａの上部には、操作パネル４０および洗剤等の投入部４５が設けられている。
【００３０】
（操作パネル）
図２は、実施の形態１に係る操作パネル４０の外観を示す図である。図２を参照して、操作パネル４０は、ドラム式洗濯機１に対するユーザの操作を受付けるために操作されるキー群１２Ａ（図４参照）、ＬＥＤ（Light  Emitting  Diode）ランプ１３Ａ、およびドラム式洗濯機１の運転に関する情報を表示するためのディスプレイ１４Ａを含む。
【００３１】
キー群１２Ａは、ドラム式洗濯機１の各部への電力の供給または停止を指示するために操作される電源の「入」または「切」の電源キー１２１、運転の開始または一時停止を指示するために操作されるキー１２２、キー１２３、運転キー１２４を含む。キー１２３は、ドラム式洗濯機１に対して、扉をロックするよう指示するためのロック指示またはロック解除を指示するための解除指示を示す指示データを設定するために、ユーザにより操作される。
【００３２】
ＬＥＤランプ１３Ａは、扉のロックが解除されている場合に、点灯または点滅する。キー１２３とＬＥＤランプ１３Ａとは、図２では別体としているが、一体的に構成されてもよい。
【００３３】
ドラム式洗濯機１は、複数の運転モード（予約運転、洗い運転、すすぎ運転、脱水運転、乾燥運転等）を有し、運転キー１２４の操作により指示された運転モードに従う運転を実施する。
【００３４】
（内部構造）
図３は、実施の形態１に係るドラム式洗濯機１の内部構造を模式的に示す縦断面図である。図３に示すように、ドラム式洗濯機１の筺体１Ａは内部に、ドラム３を有した洗濯槽２を備える。ドラム３は回転軸（図示せず）を介して洗濯槽２に保持されるとともに洗濯槽駆動モータ４に接続されている。ドラム３は、洗濯または乾燥の対象である対象物（典型的には衣類５５）を収容するための「槽」の一実施例である。
【００３５】
また、ドラム式洗濯機１は、乾燥用空気をドラム３内に通流させて槽内を乾燥させるために、ヒートポンプ部７、ヒータ部８および風路６を備える。風路６は、ドラム３とヒートポンプ部７およびヒータ部８とを連通するように設けられた送風路である。ドラム式洗濯機１は、洗濯槽２およびドラム３の開口部付近に、槽内の照らすための光照射部９Ｂを備える。扉は、扉本体１０と前扉１１を含んで構成される。
【００３６】
（制御構造）
図４は、実施の形態１に係るドラム式洗濯機１の制御構造を模式的に示す図である。図４を参照して、ドラム式洗濯機１は、ドラム式洗濯機１を制御する制御回路５を備える。制御回路５には、ドラム式洗濯機１の各部が接続される。制御回路５の主要な構成要素としてマイクロコンピュータ２２を備える。マイクロコンピュータ２２は、ＣＰＵ（Central  Processing  Unit）２３、プログラムおよびデータを記憶するための記憶部（ＲＡＭ（Random  Access  Memory）２４、ＲＯＭ（Read  Only  Memory）２５）、運転を制御するための各種の時間を計測するためのタイマ２６、Ｉ／Ｏ（Input/Output）ポート２７、およびシステムバス２８を含む。マイクロコンピュータ２２の各部は、システムバス２８を介してデータを送受信する。制御回路５は、さらに、マイクロコンピュータ２２に電力を供給するための電源回路３１、およびＩ／Ｏポート２７に接続された回路群を備える。
【００３７】
上記の回路群は、キー群１２Ａの操作キーに対応するコードを出力するキー回路３３、ＬＥＤランプ１３Ａを点灯/消灯するように駆動するＬＥＤ駆動回路３４、ディスプレイ１４Ａを表示するように駆動するディスプレイ駆動回路３５、扉をロックするためのロック部９Ａを駆動するロック駆動回路３６、負荷部１０３を駆動する負荷駆動回路３７、通信回路３８、およびセンサ部５０からの信号を雑音除去などの処理をした後に出力するセンサ回路３９を含む。
【００３８】
キー群１２Ａとキー回路３３は、ドラム式洗濯機１に対する操作を受付ける。キー回路３３は、キー群１２Ａの出力から、操作されたキーの種類、または操作パターン（押下の時間等）を判別し、判別の結果を出力する。この判別の結果は、「キーの操作内容」を示す。
【００３９】
Ｉ／Ｏポート２７は、ＣＰＵ２３からのデータを信号に変換し各回路に出力する。また、Ｉ／Ｏポート２７は、各回路からの信号をデータに変換しＣＰＵ２３に出力する。
【００４０】
電源回路３１は、図示しない補助電源部を有する。電源キー１２１の「入」操作がされたとき、マイクロコンピュータ２２は、ドラム式洗濯機１の各部に電力が供給されるよう電源回路３１を制御する。また、電源キー１２１の「切」操作がされたとき、マイクロコンピュータ２２は、各部への電力供給が停止するように電源回路３１を制御する。なお、電源回路３１からの電力の供給が停止する期間においては、マイクロコンピュータ２２は、電源回路３１の補助電源から電力が供給されて、動作可能である。
【００４１】
負荷駆動回路３７に接続される負荷部１０３は、洗濯槽駆動モータ４を含む各種のモータ、給排水の弁、ポンプ、ヒートポンプ部７およびヒータ部８を含む。負荷駆動回路３７は、ＣＰＵ２３からの制御信号に基づき、これら各部を制御する。
【００４２】
通信回路３８は、外部機器と無線ＬＡＮ（Local  Area  Network）通信するためのモデムなどを含む。通信回路３８は、マイクロコンピュータ２２からのデータを変調し、変調により得られた信号を、アンテナを介して外部機器に送信する。また、通信回路３８は、外部機器からアンテナを介して受信する信号を復調し、復調により得られたデータをマイクロコンピュータ２２に出力する。
【００４３】
上記の外部機器は、スマートフォン等の携帯型の端末１００を含む。端末１００はディスプレイとタッチパッドが一体的に構成されたタッチパネル１０１、コンピュータ、および通信回路を備える。コンピュータは、タッチパネル１０１を操作して入力されたデータを、通信回路を介してドラム式洗濯機１に送信し、また、ドラム式洗濯機１から通信回路を介して受信したデータをタッチパネル１０１に表示する。なお、ドラム式洗濯機１と端末１００とは、ペアリングにより相互に通信可能な状態となる。
【００４４】
センサ部５０は、扉の開閉を検出する開閉センサ５１を含む。開閉センサ５１は、例えば扉に設けられた磁石と、筺体１Ａの開口部付近に設けられたリードスイッチの組み合わせにより実現される。センサ回路３９は、当該リードスイッチの出力から扉が開状態であるか、または閉状態であるかを示す信号を生成し、生成された信号を出力する。
【００４５】
（ロックとロック解除）
実施の形態１では、扉と筺体１Ａとは、互いに係合する部材（図示せず）を有する。扉が開口部を覆うように閉じられたとき（閉状態となったとき）、当該部材同士が係合する。上記のレバー９は係合部に関連して設けられている。レバー９が開操作されると、当該開操作に連動して係合が外れて、扉は閉状態→開状態に変化する。
【００４６】
ロック部９Ａは、上記の係合部に関連したソレノイドを有する。ＣＰＵ２３は、駆動信号をロック駆動回路３６に出力する。ロック駆動回路３６は、駆動信号を入力したとき、ロック部９Ａに電流を供給する。ソレノイドは、ロック駆動回路３６から電流が供給されるとき電磁力により内部のラッチが切り替わり、それに合わせて係合部の係合状態の保持（ロック）と解除が切り替わる。係合状態が保持（ロック）されているときは、レバー９が開操作されたとしても係合は外れない。一方、係合状態のロックが解除されているときは、レバー９が開操作により係合を外すことができて、扉を閉状態→開状態に変化させることが可能となる。
【００４７】
（ロックの解除の報知）
実施の形態１では、キー１２３が操作されたとき、ＣＰＵ２３は、キーの操作内容に従いロックまたはロック解除の指示を記憶するためのフラグＦＬ（後述する）に値（１または０）を設定する。フラグＦＬは、ＲＡＭ２４の不揮発性の領域に格納されている。ＬＥＤランプ１３ＡはフラグＦＬの値を報知するために、すなわちロックまたはロック解除を報知するために点灯態様が切替えられる。例えば、ＣＰＵ２３は、フラグＦＬがロックされていることを示すときは点灯するようにＬＥＤランプ１３Ａを制御し、フラグＦＬがロック解除されていることを示すときは点灯とは異なる態様、例えば消灯するようにＬＥＤランプ１３Ａを制御する。このようなＬＥＤランプ１３Ａの点灯態様により、ロックまたはロック解除が報知される。なお、ＬＥＤランプ１３Ａの報知の態様は点灯/消灯に限定されない。
【００４８】
（フラグＦＬの設定）
図５は、実施の形態１に係るフラグＦＬの設定処理を示すフローチャートである。このフローチャートは、プログラムとしてＲＯＭ２５に格納される。ＣＰＵ２３は、ＲＯＭ２５からプログラムを読出し、読出されたプログラムを実行することにより処理を実現する。
【００４９】
フラグＦＬは、扉をロックするよう指示するためのロック指示またはロック解除を指示するための解除指示を示す指示データに対応する。図５（Ａ）を参照して、ＲＡＭ２４のフラグＦＬが解除指示を示す（フラグＦＬが“０”である）場合に、ロック指示に変更する処理を説明する。
【００５０】
まず、ユーザは、ドラム式洗濯機１の各部に電源が供給されている状態において、レバー９を操作することにより扉を閉状態→開状態→閉状態に切替える。これは、たとえば洗濯運転の終了時に衣類５５を洗濯槽２から取出す場合の扉の開閉操作であってもよい。
【００５１】
ＣＰＵ２３は、開閉センサ５１からの出力に基づき、扉が閉状態→開状態→閉状態に切替えられたか否かを判断する（ステップＳ４１）。切替えが判断されないときは（ステップＳ４１でＮＯ）、ステップＳ４１を繰返す。ＣＰＵ２３は、当該切替えがなされたと判断したと（ステップＳ４１でＹＥＳ）、以下の処理を実施する。
【００５２】
ユーザは、上記の扉の開閉操作に続いて、キー１２３を３秒間以上連続して押下し、続いて電源キー１２１を「切」操作する。
【００５３】
ＣＰＵ２３は、キー回路３３を介して受け付けたキーの操作内容に基づき、キー１２３が３秒間以上継続して押下されたと判断すると、ＲＡＭ２４のフラグＦＬに“１”をセットする（ステップＳ４３）。これにより、フラグＦＬが元の“０”から“１”に書換えられる。
【００５４】
ＣＰＵ２３は、フラグＦＬが“１”を示すことに基づき、ロック駆動回路３６に駆動信号を出力する（ステップＳ４５）。ロック駆動回路３６は駆動信号に従い、ロック部９Ａに電流を供給する。ロック部９Ａのソレノイドは、ロック駆動回路３６からの電流に従う電磁力を発生させる。これにより、扉は閉状態にロックされる。
【００５５】
また、ＣＰＵ２３は、フラグＦＬの値（“１”）に基づき、ＬＥＤランプ１３Ａを消灯→点灯するように制御する（ステップＳ４６）。
【００５６】
その後、ＣＰＵ２３は、上記の電源キー１２１を「切」操作に応じて、各部への電力供給を停止するよう電源回路３１を制御する（ステップＳ４７）。なお、電力供給が停止された後も、ＬＥＤランプ１３Ａには上記の補助電源から電流が供給されることにより点灯状態を継続するとしてもよい。
【００５７】
次に、図５（Ｂ）を参照して、ＲＡＭ２４のフラグＦＬがロック指示を示す（フラグＦＬが“１”である）場合に、解除指示に変更する処理を説明する。まず、ユーザは、キー１２３を３秒間以上連続して押下し、続いて電源キー１２１を「切」操作する。
【００５８】
ＣＰＵ２３は、キー回路３３を介して受け付けたキーの操作内容から、キー１２３が３秒間以上継続して押下されたと判断すると、ＲＡＭ２４のフラグＦＬに“０”をセットする（ステップＳ４３ａ）。これにより、フラグＦＬが元の“１”から“０”に書換えられて、ＣＰＵ２３は、フラグＦＬが“０”を示すことに基づき、Ｉ／Ｏポート２７を介して駆動信号をロック駆動回路３６に出力する。ロック駆動回路３６はＣＰＵ２３からの駆動信号に応答して、ロック部９Ａに電流を供給する（ステップＳ４５ａ）。当該電流によってロック部９Ａのソレノイドで発生した電磁力により、扉のロックは解除されて、レバー９の開操作により扉を開けることが可能となる。
【００５９】
また、ＣＰＵ２３は、フラグＦＬの値（“０”）に基づき、ＬＥＤランプ１３Ａを点灯→消灯するように制御する（ステップＳ４６ａ）。その後、ＣＰＵ２３は、各部への電力供給を停止するように電源回路３１を制御する（ステップＳ４７）。
【００６０】
このように、ユーザはキー１２３を３秒間以上押し続ける長押し操作をすることにより、フラグＦＬをセット（“１”のセット）またはリセット（“０”のセット）する、すなわち扉についてのロック／解除の指示データを、ロック指示→解除指示、または解除指示→ロック指示に変更することができる。
【００６１】
なお、上記に述べたフラグの切替え方法は一例であり、上記以外の方法であってもよい。
【００６２】
（運転時の処理フロー）
図６は、実施の形態１に係る運転時の処理のフローチャートである。このフローチャートに従うプログラムは予めＲＯＭ２５に格納される。ＣＰＵ２３が、プログラムをＲＯＭ２５から読出し、読出されたプログラムを実行することにより図６の処理が実現される。図６を参照して、洗濯工程の運転を説明するが、運転の種類は洗濯工程に限定されない。なお、フラグＦＬは、図５（Ａ）に従い予め“１”にセットされている。
【００６３】
まず、ユーザが電源キー１２１を「入」操作すると、ＣＰＵ２３は各部に電源回路３１からの電力を供給開始する（ステップＳ２１）。
【００６４】
ユーザは、衣類５５をドラム３内に投入するために、キー１２３を３秒間未満の短い期間押すような短押し操作を行なう。
【００６５】
ＣＰＵ２３は、キー回路３３の出力から、キー１２３の短押し操作による操作内容に基づきロック駆動回路３６を介してロック部９Ａへ電流を供給し、ロックを解除する（ステップＳ２３）。ユーザは、ロック解除された扉を、レバー９を操作して開けて（閉状態→開状態）、衣類５５などを洗濯槽２内に投入し、その後、扉を閉じる。
【００６６】
ユーザは運転キー１２４を操作し運転内容を決めて、キー１２２により運転の開始を指示する。ＣＰＵ２３は、キー１２２のキー操作受付を判断すると、ロック駆動回路３６を介してロック部９Ａに電流を供給する（ステップＳ２７）。これにより、扉は閉状態にロックされる。
【００６７】
扉が閉状態にロックされると、ＣＰＵ２３は、予め定められたプログラムに従い洗濯工程を実施する（ステップＳ２９）。なお、この洗濯工程はよく知られたものであるから、ここでは詳細な説明は繰返さない。
【００６８】
ＣＰＵ２３は、洗濯工程が終了したか否かを判断する（ステップＳ３１）。たとえば、洗濯工程の開始から予め定められた時間経過したか否かを判断し、その判断結果に基づき洗濯工程が終了したか否かを判断する。洗濯工程の終了と判断しない間は（ステップＳ３１でＮＯ）、ステップＳ２９の洗濯工程が実施される。
【００６９】
一方、ＣＰＵ２３は、洗濯工程が終了したと判断すると（ステップＳ３１でＹＥＳ）、フラグＦＬの値を判定する（ステップＳ３３）。ここでは、フラグＦＬは“１”であるから（ステップＳ３３でロック解除禁止）、ＣＰＵ２３は、フラグＦＬが示すロック指示に従いロック駆動回路３６を介したロック部９Ａへの電流供給を実施せず、すなわち扉の係合部の係合状態を保持（ロック）したまま、各部への電力供給は停止する（ステップＳ３７）。このように、運転終了時に扉は閉状態にロックされたままであるから、レバー９が開操作されたとしても、扉は開かない。したがって、運転終了後に、ロック解除操作を行わない限り、扉は開かないので、例えば子供が扉を開けて洗濯槽２の中をのぞき込む行為を防止しやすくなる。
【００７０】
ＣＰＵ２３は、フラグＦＬが“０”を示すと判断した場合は（ステップＳ３３でロック解除許可）、フラグＦＬが示す解除指示に従い、ロック駆動回路３６を介してロック部９Ａへ電流を供給し、扉の係合部の係合状態を解除する（ステップＳ３５）。これにより、ロックが解除される。その後、電源回路３１を介して各部への電力供給は停止する（ステップＳ３７）。このように、運転終了時は、フラグＦＬが“０”であれば、扉のロックは解除される。
【００７１】
実施の形態１によれば、運転終了時に扉の閉状態をロックし続けるか、またはロック解除するかの切替えを、同じキー１２３の操作により設定することができる。また、ロック解除はキー１２３の長押しを必要とするから、簡単操作でロック解除される事態を防止することができる。また、ユーザは、ＬＥＤランプ１３Ａの点灯/消灯状態から、ロック指示が設定されているか、または解除指示が設定されているかを容易に確認することができる。
【００７２】
［実施の形態２］
実施の形態２は、上記の実施の形態１の変形例を示す。実施の形態２のドラム式洗濯機１は、子供等が洗濯槽２内をのぞき込む行為を防止しやすくするための構成を有する。
【００７３】
上記の実施の形態１では、運転終了時のロック/ロック解除の切替えのためにフラグＦＬを参照したが、実施の形態２では、フラグＦＬを参照しないロック/ロック解除方法を示す。具体的には、運転終了時は、基本的にロックは解除されないが、キー１２３の長押し操作（ロック解除操作）が検出されたときに限り、ＣＰＵ２３はロックを解除する。
【００７４】
このように実施の形態２では、運転終了時は、ＣＰＵ２３は、扉を閉状態にロックし続けるようロック部９Ａを制御するので、運転終了後は、ロック解除操作を行わない限り、扉が開かないので、例えば子供が扉を開けて洗濯槽２の中をのぞき込む行為を防止しやすくなる。
【００７５】
なお、ドラム式洗濯機１が、運転終了時に、実施の形態１のように、フラグＦＬに基づきロック/ロック解除を切替えるモードを実施するか、もしくは一律にロック解除を有効にするかは、ユーザが操作パネル４０を介して切替え設定することができる。
【００７６】
［実施の形態３］
実施の形態３は、上記の実施の形態１と２の変形例を示す。実施の形態３のドラム式洗濯機１は、子供等が洗濯槽２内に入る事態を防止可能な構成を有する。
【００７７】
実施の形態３では、ＣＰＵ２３は、実施の形態１と２で説明したように運転終了時に、ロックが解除されてから予め定められた時間内において扉が開状態から閉状態に変化しないときは、ロックを禁止するようにロック部９Ａを制御する。
【００７８】
図７は、実施の形態３に係る運転終了時の処理フローチャートである。図７の処理フローチャートは、プログラムとしてＲＯＭ２５に格納される。ＣＰＵ２３は、ＲＯＭ２５からプログラムを読出し、読出されたプログラムを実行することにより、図７の処理を実現する。
【００７９】
ＣＰＵ２３は、運転が終了すると（図６のステップＳ３１でＹＥＳ）、フラグＦＬが“１”に設定されているか否かを判断する（ステップＳ１）。フラグＦＬが“１”に設定されていない場合、すなわちフラグＦＬ＝“０”と判断した場合（ステップＳ１でＮＯ）、ＣＰＵ２３はロック駆動回路３６を介してロック部９Ａによるロックを解除する（ステップＳ１９）。その後、各部への電力供給は停止する（ステップＳ１７）。
【００８０】
一方、フラグＦＬがセット（“１”）であった場合は（ステップＳ１でＹＥＳ）、ＣＰＵ２３は、キー回路３３からの出力に基づき、キー１２３が短押し操作されたか否かを判断する（ステップＳ３）。短押し操作された、すなわちロック解除の操作がされるか否かを判断する（ステップＳ３）。ロック解除操作がされないと判断すると（ステップＳ３でＮＯ）、ステップＳ３の処理が繰返される。
【００８１】
一方、ロック解除の操作がされたと判断されると（ステップＳ３でＹＥＳ）、ＣＰＵ２３は、Ｉ／Ｏポート２７から駆動信号を出力し、ロック部９Ａによるロックを解除する（ステップＳ５）。ＣＰＵ２３は、駆動信号の出力後から、すなわちロックが解除されてから予め定められた時間が経過するか否かを判断する（ステップＳ９）。この予め定められた時間は、例えば洗濯物を洗濯槽２から取り出すのに要する時間を基準に決定される。
【００８２】
ＣＰＵ２３は、予め定められた時間内において、開閉センサ５１からの出力に基づき、閉状態の扉が開状態→閉状態に変化するか否かを判断する（ステップＳ９でＮＯ、ステップＳ１１）。予め定められた時間内は当該判断が繰返される（ステップＳ９でＮＯ、ステップＳ１１でＮＯ）。
【００８３】
一方、予め定められた時間を経過しても扉が開状態→閉状態に変化したことが検出できないときは（ステップＳ９でＹＥＳ）、ＣＰＵ２３は、ＬＥＤ駆動回路３４を介してＬＥＤランプ１３Ａを点滅表示し、ロックが解除されたままであることを報知する（ステップＳ１５）。
【００８４】
一方、ロックが解除されてから予め定められた時間内において扉の開状態→閉状態が判断された場合（ステップＳ９でＮＯ、ステップＳ１１でＹＥＳ）、ＣＰＵ２３は、ロック駆動回路３６を介してロック部９Ａにより扉をロックする（ステップＳ１３）。その後、各部への電力供給は停止し（ステップＳ１７）、処理は終了する。
【００８５】
このように、運転終了時にロックが解除されてから予め定められた時間を超えても扉の開→閉の状態変化が検出されない場合は、すなわち扉を閉め忘れた場合等はロックが禁止される。これにより、この間に子供が扉を開けた状態で洗濯槽２中に入っていたとしても予め定められた時間が経過後であれば、誤って扉が閉められたとしてもロックされてしまう事態を防止することができる。
【００８６】
また、運転終了時に、ユーザは、洗濯槽２から衣類５５を取り出す動作の延長で、自動的に、ドラム式洗濯機１に対してロック指示を設定することができて（ステップＳ１３を参照）、毎回設定する場合に比べて煩雑さを解消することができる。
【００８７】
また、運転終了時にロックが解除されてから予め定められた時間を超えてもロックが解除されたままであるときは、ＬＥＤランプ１３Ａが点滅することにより、ユーザに対してロック解除のままであることを報知し、またロック操作を実施するように促すことができる。ＬＥＤランプ１３Ａは、ロックが解除されている旨を出力する「出力部」の一実施例である。
【００８８】
なお、実施の形態３では、ＬＥＤランプ１３Ａによる報知を利用したが、ＣＰＵ２３は、図示されない音声スピーカを利用した報知（ロックを促すアナウンス例えば、「ロックすることをお勧めします」）を、ＬＥＤランプ１３Ａとともに、または個別に実施するとしてもよい。
【００８９】
［実施の形態４］
実施の形態４は、上記の各実施の形態の変形例を示す。実施の形態４のドラム式洗濯機１は、ロックまたはロック解除に関する情報を出力する。この情報は、ロックまたはロック解除の設定状況と、設定操作に関するガイダンスなど含む。
【００９０】
図８は、実施の形態４に係る端末１００に対するロック解除のガイダンスの表示例を示す図である。図９は、実施の形態４に係る端末１００に対するロックを設定するためのガイダンスの表示例を示す図である。
【００９１】
ＣＰＵ２３は、フラグＦＬが“１”であるときは、端末１００に対して、ロック指示が設定されていること、および解除指示を設定するためのキー操作のガイダンス情報を、端末１００に送信する。端末１００はドラム式洗濯機１からの受信情報に基づき、タッチパネル１０１に図８のメッセージを表示する。
【００９２】
また、ＣＰＵ２３は、フラグＦＬが“０”であるときは、端末１００に対して、ロック指示が未設定であること、およびロック指示を設定するためのキー操作のガイダンス情報を、端末１００に送信する。端末１００はドラム式洗濯機１からの受信情報に基づき、タッチパネル１０１に図９のメッセージを表示する。
【００９３】
ユーザは、図８または図９のボタン１０Ａを操作することにより、当該メッセージの表示／消去を切替えることができる。
【００９４】
図８または図９の出力は、ドラム式洗濯機１の電源投入時、運転の一時停止時、運転開始時、運転終了時に実施される。この端末１００による表示に代えて、または当該表示とともに、ドラム式洗濯機１のディスプレイ１４Ａにより同様のメッセージを表示してもよい。または、音声にて「チャイルドロックが設定されています。解除方法はロック解除キーを３秒間押してください」と出力してもよい。また、ＬＥＤランプ１３Ａを点滅することで解除をナビゲーションするとしてもよい。
【００９５】
端末１００、ディスプレイ１４Ａ、およびＬＥＤランプ１３Ａは、扉のロック指示または解除指示に関する情報を出力する「出力部」の一実施例である。
【００９６】
実施の形態４によれば、ロック指示または解除指示の設定方法（キー操作方法）を、音声、ランプの点滅、メッセージ表示によりユーザに案内することで、ユーザは操作方法を理解しやすくなり、ユーザに使ってもらうように動機付けすることができる。
【００９７】
（変形例）
実施の形態４の変形例を示す。電源キー１２１が［入」操作されたときに、ロック指示の設定を促すための報知を第１の回数（例えば７回）行う。その間に１回もロック指示が設定されることがなければ、報知をやめるとしてもよい。これにより、子供が存在しないものとして、ユーザが煩わしく思うのを回避できる。
【００９８】
ＣＰＵ２３は、電源キー１２１の「入」操作がされた回数、すなわちドラム式洗濯機１に電力が供給開始された回数を計測する。ＣＰＵ２３は、上記の第１の回数の繰返し報知を実施した後に、電源キー１２１が［入」操作の回数が、第２の回数（例えば９０回）に達したときは（すなわち、電力供給開始の実施回数が第２の回数に達したときは）、ロック指示の設定を促すための報知を第１の回数繰返す動作を再開する。
【００９９】
または、ロック指示が設定されるまで、電力供給開始の実施回数が第２の回数に達する毎に、上記の第１の回数の繰返し報知を実施するようにしてもよい。
【０１００】
また、ユーザが運転キー１２４を操作して運転の種類（運転モード）を切替える毎に、ロック指示の設定を促すように報知するとしてもよい。これにより、いつも使っている運転モードと違う運転モードを選んだ際、いつも使っている人とは別の人が使っている可能性があるため、念のための報知を実施することができる。
【０１０１】
（各実施の形態の変形例）
上記の各実施の形態の変形例として、ロック解除の構成を示す。ドラム式洗濯機１が通電されつづける機種、例えば端末１００等の外部機器とのＷｉＦｉ（Wireless Fidelity）通信機能を有している機種の場合には、電源キー１２１の「入」操作をせずに、キー１２３を長押し操作するだけで、解除指示が設定されるとしてもよい。
【０１０２】
また、ドラム式洗濯機１が、指紋認証などの生体認証機能を電源キー１２１の「入」操作に搭載した機種の場合には、登録した人であれば、電源キー１２１の「入」操作だけで解除指示が設定されるとしてもよい。
【０１０３】
また、解除指示を設定するための操作キーを、ロック指示を設定するキーとは個別に設けてもよい。解除指示の設定キーは、ドラム式洗濯機１の操作パネル４０とは別の場所、例えば子供の手が届きにくいドラム式洗濯機１の筺体１Ａの奥の位置、例えば、筺体１Ａの天面の後方、背面パネルまたは底面パネルに設けるとしてもよい。これにより、子供が触り何らかの偶然でロックが解除される可能性を防止できる。
【０１０４】
また、ロック指示または解除指示を設定するための操作部として、キー１２３に代えて、レバー９を利用してもよい。ＣＰＵ２３は、レバー９が予め定められたパターン（カチ、カチ、カチのように短期間に３回レバー引く動作）で操作されたことを判断したとき、ロック指示または解除指示を設定する。操作パターンの判定に関して、レバー９には、レバー９の操作に連動して接点を開閉するスイッチ（図示せず）が設けられる。ＣＰＵ２３は、スイッチの出力から、レバー９が予め定められた時間内に操作された回数をカウントし、カウント値に基づき判別した操作パターンと、予め定められてＲＯＭに記憶された操作パターンとを照合することにより、予め定められたパターンでレバー９が操作されたか否かを判断する。なお、操作パターンは、「カチー、カチ、カチー」のように他のパターンであってもよい。“カチー”はレバー９を１秒間引いた状態を示している。また、ロック指示または解除指示を設定するための予め定められた操作パターンは、ユーザにより変更することができる。
【０１０５】
（実施の形態の構成）
ドラム式洗濯機１は、開口部を有し、開口部を介して衣類５５を収納するための洗濯槽２と、開口部を開閉するための扉と、扉を閉状態にロックするためのロック部９Ａと、ドラム式洗濯機１を制御するためのＣＰＵ２３と、を備え、ドラム式洗濯機１に、扉をロックするよう指示するためのロック指示またはロック解除を指示するための解除指示を示すフラグＦＬを設定するために操作されるキー１２３を有し、ＣＰＵ２３は、操作により設定されたフラグＦＬをメモリに記憶し、運転中は扉を閉状態にロックし、運転終了時はフラグＦＬに基づき当該ロックをし続けるように、または当該ロックを解除するようにロック部９Ａを制御する。
【０１０６】
したがって、キー１２３の操作により、ロック指示または解除指示を設定できる。また、運転終了時は、この指示に従いロックを解除するかを判断し実施することができる。
【０１０７】
好ましくは、ＣＰＵ２３は、さらに、フラグＦＬがロック指示を示す場合に、キー１２３が操作されたときは、当該フラグＦＬを、解除指示を示すように変更し、メモリのフラグＦＬが解除指示を示す場合に、キー１２３が操作されたときは、当該フラグＦＬを、ロック指示を示すように変更する。したがって、フラグＦＬの指示をキー１２３の操作により変更することができる。
【０１０８】
好ましくは、扉の開閉を検出する開閉センサ５１を、さらに備え、ＣＰＵ２３は、さらに、ロックが解除されている場合に、開閉センサ５１からの出力に基づき扉が開状態から閉状態に変化したか否かを判断し、判断結果に基づきロック部９Ａを制御する。したがって、扉の開閉が実施されたときには、ロック部９Ａによるロック／解除を実施することができる。
【０１０９】
好ましくは、ＣＰＵ２３は、さらに、運転終了時にロックを解除するようにロック部９Ａを制御した場合に、扉が開状態から閉状態に変化したと判断したときは、当該扉を閉状態にロックするようにロック部９Ａを制御する。したがって、扉の開閉が実施されたときには、ロック部９Ａによるロックを実施することができる。
【０１１０】
好ましくは、ＣＰＵ２３は、さらに、運転終了時にロックを解除するようにロック部９Ａを制御した場合に、当該ロックが解除されてから予め定められた時間内に扉が開状態から閉状態に変化したと判断したときは、当該扉を閉状態にロックするようにロック部９Ａを制御する。したがって、ロック解除から予め定められた時間内で扉の開閉が実施されたときには、ロック部９Ａによるロックを実施することができる。
【０１１１】
好ましくは、ＣＰＵ２３は、さらに、運転終了時にロックを解除するようにロック部９Ａを制御した場合に、当該ロックが解除されてから予め定められた時間内に扉が開状態から閉状態に変化したと判断しないときは、扉の閉状態のロックを禁止するように、ロック部９Ａを制御する。したがって、予め定められた時間を超えても扉の開閉が検出できないときには、ロック部９Ａによるロック禁止を実施して、扉が開状態のままとなるのを防止することができる。
【０１１２】
好ましくは、ＣＰＵ２３は、運転終了時にロックを解除するようにロック部９Ａを制御した場合に、当該ロックが解除されてから予め定められた時間内に扉が開状態から閉状態に変化したと判断しないときは、ロックが解除されている旨を、出力部を介して出力する。したがって、予め定められた時間を超えても扉の開閉が検出できないときには、ロックが解除されていることを報知して、ロック指示の操作を促すことができる。
【０１１３】
好ましくは、ＣＰＵ２３は、扉のロックまたはロック解除に関する情報を、出力部を介して出力する。したがって、ユーザにロック指示または解除に関する情報を提示することができる。
【０１１４】
好ましくは、情報は、メモリに記憶されたフラグＦＬと、フラグＦＬをドラム式洗濯機１に設定するためのキー１２３の操作ガイダンスの情報とを含む。したがって、ユーザに、ロック指示または解除指示に設定状況と、設定の操作ガイダンスを提示することができる。
【０１１５】
好ましくは、外部機器と通信する通信回路を、さらに備え、ＣＰＵ２３は、通信回路を介して情報を外部機器に送信する。したがって、上記の情報をユーザの端末に送信できる。
【０１１６】
好ましくは、ＣＰＵ２３は、メモリのフラグＦＬがロック指示を示さないときは、出力部を介し、ロック指示の設定を促すための報知を出力する。したがって、ロック指示の設定を行うように出力部を介してユーザにガイダンスすることができる。
【０１１７】
好ましくは、ＣＰＵ２３は、ドラム式洗濯機１に電力が供給開始される場合に、メモリのフラグＦＬがロック指示を示さないといきは、報知を、第１の回数だけ繰返し出力する。したがって、繰返し報知により、ユーザにロック指示の設定をより促すことができる。
【０１１８】
好ましくは、ＣＰＵ２３は、報知を第１の回数繰返し出力中に、キー１２３の操作を受付けたときは、当該出力を停止する。したがって、ユーザがロック指示の設定をしたときは、繰返し報知を中止することができる。
【０１１９】
好ましくは、ＣＰＵ２３は、ドラム式洗濯機１に対する電力の供給開始が実施された回数を計測し、報知を第１の回数繰返し出力した後に、電力の供給開始の計測回数が第２の回数になった場合は、当該電力の供給開始時に、メモリのフラグＦＬがロック指示を示さないときは、再度、報知の第１の回数繰返し出力を開始する。したがって、電力の供給開始が第２の回数実施される毎に、ロック指示の設定を促すことができる。
【０１２０】
好ましくは、ドラム式洗濯機１は、切替え可能な複数の運転モードを有し、運転モードが切替えられるとき、報知を、出力部を介して出力する。したがって、運転モードが切り替わるタイミングで、ロック指示の設定を促すことができる。
【０１２１】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１２２】
１  ドラム式洗濯機、１Ａ  筺体、２  洗濯槽、３  ドラム、９  レバー、９Ａ  ロック部、１２Ａ  キー群、１３Ａ  ＬＥＤランプ、１４Ａ  ディスプレイ、２２  マイクロコンピュータ、２４  ＲＡＭ、２５  ＲＯＭ、３１  電源回路、３３  キー回路、３６  ロック駆動回路、３８  通信回路、３９  センサ回路、４０  操作パネル、５１  開閉センサ、５５  衣類、１００  端末、１０１  タッチパネル、１２１  電源キー、１２２，１２３  キー、１２４  運転キー、ＦＬ  フラグ。
【図１】
0006695128.tif 000002
【図２】
0006695128.tif 000003
【図３】
0006695128.tif 000004
【図４】
0006695128.tif 000005
【図５】
0006695128.tif 000006
【図６】
0006695128.tif 000007
【図７】
0006695128.tif 000008
【図８】
0006695128.tif 000009
【図９】
0006695128.tif 000010